(57)【要約】【課題】  製造容易であるが偽造が困難である、ドキュメント上の偽造防止パターンを提供すること等。【解決手段】  周期が変化するパターンは、偽造防止セキュリティ装置を提供するために、ドキュメントの表面及び裏面上で位置整合する。周期が変化するパターンは、反転画像である。ドキュメントは、ドキュメントの裏面上のパターンがドキュメントの表面上のパターンに重ね合わされることを透視できるほど透明である。周期が変化するパターンは、位置整合不良の場合にはモアレパターンを形成する。パターンが周期が変化するので、モアレパターンは、位置整合不良の大きさ及び方向に関係なく形成される。【選択図】  図１
2004148819.tif 000002
【特許請求の範囲】
【請求項１】
周期が変化する複数の第１線からなり、前記ドキュメントの第１表面上にある第１パターンと、
周期が変化する複数の第２線からなり、前記ドキュメントの第２表面上にある第２パターンと、
から構成され、前記ドキュメントの前記第２表面は前記ドキュメントの前記第１表面と反対側であり、前記第２パターンは前記第１パターンを反転したものであり、前記ドキュメントは十分に透明であり、前記ドキュメントの前記第１表面か又は前記ドキュメントの第２表面から前記第１パターン及び前記第２パターンが互いに重ね合わされていることが見えるように、前記第１パターン及び前記第２パターンは透視可能にされ、前記第１パターンが前記第２パターンと位置整合する場合には、前記第１パターンか又は前記第２パターンが見え、前記第１パターンが前記第２パターンと位置整合しない場合には、前記第１パターンと前記第２パターンによって形成されるモアレパターンが見えることを特徴とするドキュメントのセキュリティ機能。
【請求項２】
周期が変化する複数の第１線からなり、前記ドキュメントの第１表面上にある第１パターンと、
周期が変化する複数の第２線からなり、前記ドキュメントの第２表面上にある第２パターンと、
から構成され、前記ドキュメントの前記第２表面は前記ドキュメントの前記第１表面と反対側であり、前記第２パターンは前記第１パターンを反転したものであり、前記ドキュメントは、前記第１パターン及び前記第２パターンにおいて十分に透明であり、前記ドキュメントの前記第１表面か又は前記ドキュメントの第２表面から前記第１パターン及び前記第２パターンが互いに重ね合わされていることが見えるように、前記第１パターン及び前記第２パターンは透視可能にされ、前記第１パターンが前記第２パターンと位置整合する場合には、前記第１パターンか又は前記第２パターンが見え、前記第１パターンが前記第２パターンと位置整合しない場合には、前記第１パターンと前記第２パターンによって形成されるモアレパターンが見えることを特徴とするドキュメントのセキュリティ機能。
【請求項３】
前記第１パターン及び前記第２パターンは、前記ドキュメントのプラスチック領域にあることを特徴とする請求項２に記載のドキュメントのセキュリティ機能。
【発明の詳細な説明】
【技術分野】
【０００１】
本発明は、周期が変化するパターンを用いる偽造防止機能に関する。
【背景技術】
【０００２】
例えば、ホログラムや偏光格子のような光学可変デバイスといった、ドキュメントのための様々なセキュリティ特性が提案されている。
【発明の開示】
【発明が解決しようとする課題】
【０００３】
しかしながら、従来一般のものは、複雑で製造コストを要していた。そこで、本発明は、製造容易であるが偽造が困難である、ドキュメント上の偽造防止パターンを提供すること等を目的とする。
【課題を解決するための手段】
【０００４】
本発明によると、周期が変化するパターンは、偽造防止セキュリティ装置を提供するために、ドキュメントの表面及び裏面上で位置整合する。周期が変化するパターンは、反転画像である。ドキュメントは、ドキュメントの裏面上のパターンがドキュメントの表面上のパターンに重ね合わされることを透視できるほど透明である。周期が変化するパターンは、位置整合不良の場合にはモアレパターンを形成する。パターンが周期が変化するので、モアレパターンは、位置整合不良の大きさ及び方向に関係なく形成される。
線のパターンは、線の横方向距離にわたって又は線の長さに沿って周期が変化することができる。パターンは、直線、アスタリスク、フレネル同心円、図形イラストの英数字文字となり得る。
【発明を実施するための最良の形態】
【０００５】
以下の簡潔に説明される図面は、縮尺されていない。
次の詳細な説明においては、説明される実施形態の種々の態様についての数値範囲が与えられる。これらの挙げられた範囲は、単なる例として扱われるものであって、ここでの特許請求の技術的範囲を制限することが意図されるものではない。さらに、多数の素材が実施形態の種々の様相に適切であると認識される。これらの挙げられた素材は、例示的に扱われるものであって、ここでの特許請求の技術的範囲を制限することは意図されるものではない。さらに、図面は、本発明を簡単に理解するために縮尺されて描かれない。
【０００６】
図１及び図２を参照すると、本発明による偽造防止セキュリティ機能のためのドキュメント１４上の透視モアレパターン１０、１２が図示されている。
線１６の第１パターン１０は、ドキュメント１４の表面１８上にある。線２０の第２パターン１２は、ドキュメント１４の裏面２２上にある。
第１及び第２パターン１０、１２は、ドキュメント１４の表面１８及び裏面１８、２２の部分２６のみを覆う。ドキュメント１４は、セキュリティ機能部分２６に隣接する通常の印刷（図示せず）をもっている。
ドキュメント１４の裏面２２上の第２パターン１２の線２０は、ドキュメント１４の表面１８上の第１パターン１０の線１６の鏡像であり、しばしば反転画像と呼ばれる。線１６及び２０は、ドキュメント１４の面１８、２２の垂線２４に相対的に沿って位置整合する。
【０００７】
線１６間のピッチ即ち間隔ｐは、第１パターン１０にわたって変わる。第１パターン１０は、周期が変化する線１６を有する。また、線２０間のピッチｐは、第２パターン１２にわたって変わる。第２パターン１２は、第１パターン１０と同じ周期が変化する線２０を有する。
線１６、２０は、黒インク、色インク、白インク、金属インク、又は光学的に可変のインクなどの従来のインクを用いる如何なる従来の方法においても提供されることができる。
ドキュメント１４上の透視モアレパターン１０、１２の重要な態様は、如何なるホルダによる垂線方向の光の条件下でも本物確認を可能にするその能力である。
【０００８】
図３に示すように、ドキュメントホルダによる垂線方向の光２８の下で透視できるようにするために、ドキュメント１４が十分に透明なものとされるか、又は代替的にパターン１０、１２を備えるセキュリティ機能部分２６が十分に透明なものとされる。ドキュメント１４は、典型的にはラグペーパーなどの紙とされるが、プラスチックフィルムなどのプラスチック素材か、又はクレジットカード素材、不織材などの他の素材から構成することもできる。代替的に、セキュリティ機能部分２６は、周囲の紙ドキュメント１４内のプラスチック・インサートによって定めることができる。
【０００９】
約３８０ナノメートルから約７２０ナノメートルまでの間の波長範囲の可視光線などの光線２８が、ドキュメント１４上に入射され、該ドキュメントを通って伝送されて該ドキュメントによって吸収されるか、又は該ドキュメントから反射される。図３における線３０によって示されるように、伝送された光線２８は、裏面２２を通ってドキュメントに入り、該ドキュメント１４を通過し、表面１８から出る。
表面１８からドキュメント１４を見ているオブザーバ（図示せず）は、ドキュメントの裏側２２の後ろからの光２８によりドキュメント１４を「透視」して、線１６の第１パターン１０上に重ね合わされた線２０の第２パターン１２を見る。
すでに示したとおり、ドキュメント１４の第１及び第２パターン１０、１２の線１６、２２は、図２及び図４に示すように互いに位置整合する。
図５に示すように、第１パターン１０の線１６が第２パターン１２の線２０と位置整合不良である場合には、オブザーバは、ドキュメントの後ろの光２８に上りドキュメント１４を透視すると、第１及び第２パターン１０、１２の線１６、２０によって生じるモアレパターン３２を見ることになる。
【００１０】
パターン１０、１２の線１６、２０の印刷は、通常、１つの印刷実行の際に表面１８と裏面２２との同時印刷が可能である特殊な石版印刷機を用いて行われる。したがって、パターン１０、１２に与えられる許容誤差は、典型的には数分の１ミリメートルであり、異なる印刷実行の際の両面１８、２２印刷による偽造に起因する如何なる差異にもすぐに気付くことができる。一回刷りで両面１８、２２印刷を行うことによって、水分量又は熱などの変化に起因するドキュメント１４の寸法及び厚みの変動による位置合わせのずれが回避される。如何なる場合でも、第１及び第２パターン１０、１２は、オフセット印刷、グラビア印刷、又はスクリーン印刷などの印刷、或いは転写プロセスといったその他の適切な技術によって与えることができる。
【００１１】
透視セキュリティ機能の主要な利点は、そのような機能を偽造するのが難しいことである。ある意味、これは、ドキュメントの各面上のパターン間の正確な位置合わせを達成する必要性によるものであり、また、ある程度は、この機能が存在していることに偽造者が気付くことさえできないという事実による。
ドキュメント１４の高レベルの透過性は、光が基体を透過するときの光拡散の問題があるために通常は区別することができない微細な線１６、２０のパターン１０、１２の使用を可能にするので有利である。線１６、２０の特殊な色は、偽造者がカラーコピー、プリンタ、又はスキャナで正確に複写するのが一層難しくなるので、望ましいものである。
モアレパターンは、線が交差し、かつ、小さい角度をなして相互に傾斜状態で互いに重ね合わされたほぼ平行な線１６、２０の２つのパターン１０、１２から生じる干渉縞である。
【００１２】
図１及び図２に戻ると、パターン１０、１２の線の周期、すなわち単位横方向距離当りの線１６、２０の数、すなわち線に垂直なパターンの幅は、ドキュメント１４に、線が比較的高い線周期を有しそれにより密な間隔で配置される領域３４と、線が比較的低い線周期を有しそれにより広い間隔で配置される別の領域３６とを与えるように、変化される。
２つのパターンの線は、周期の変化及び透視の際の相対的位置により、線が位置整合しない場合には、ドキュメントの領域上で線の間の交差部において小さな、種々の異なる角度をなす。従って、２つのパターンの線は、互いに干渉し合ってモアレ効果干渉縞を形成する。
モアレ縞パターン３２は、透視する際の線１６、２０の交差角が円弧にして約１秒から約４５度まで変化されるときに現れる。パターン１０、１２は、平行な線１６、２０から構成されるが、僅かに異なる角度の２つのパターンが重ね合わされる場合にモアレ縞が現れる。
【００１３】
パターン１０、１２は同一のものであり、光線２８はドキュメント１４の表面１８の背後にあり、見る人は裏側２２の前にいるので、本発明の偽造防止セキュリティ装置はまた、パターン１０、１２が位置整合不良である場合には、位置整合のずれの大きさ及び方向に関係なく、モアレパターン３２を形成する。
用語「パターン」は、その抽象的、幾何学的、又は具象的な性質に関係なく、全ての線パターンのことをいう。第１及び第２パターンは、それら自体は、モアレパターンではない。第１及び第２パターンが位置整合不良の場合には、モアレパターンが生じる。
好ましくは、第１及び第２パターンはそれぞれ特徴的画像を形成するのがよい。第１及び第２パターンは、認識可能パターン（セキュリティパターンなど）、又は幾何学形状、図形イラスト、英数字文字などの画像、及び他の曲線パターンなどを形成する。このことは、ドキュメントを、保持者の目によって、又は機械で読み取り可能な画像の場合は機械によって、簡単に認証できるようにする。
【００１４】
図６に示すように、ドキュメント４４の表面４２上の線４０のパターン３８は、しばしばアスタリスクパターン又はスターバーストパターンと呼ばれる、中心点から放射状に延びる複数の直線を形成する。（ドキュメントの裏面上の第２の同一反転パターンは、この図には示されていない）。パターンは、隣接線４０間の間隔ｐが線４０の長さに沿って徐々に変化するように、方向が変化する。
位置整合する場合には、ドキュメントの表面及び裏面の２つのパターンは、図６に示すように、パターン３８の単一画像を形成する。位置整合不良の場合には、ドキュメントの表面及び裏面上の２つのパターンは、図７に示すようにモアレパターン４６を形成する。
或いは図８に示すように、パターンは、同心円状の線５０からなるフレネルパターン４８とすることができる。
本発明においては、周期が変化する線パターンによって生じる透視モアレは、ドキュメントの表面と裏面からの位合わせ不良を検出する。モアレは、パターンの位合わせがほぼ完全であるオリジナルのドキュメントには存在しない。パターンは、間隙、周期又は方向が少しずつ変化する。人間の視覚判定によって、極小の位置整合不良を検出することができる。
【図面の簡単な説明】
【００１５】
【図１】本発明の偽造防止セキュリティ機能のための透視パターンを備えるドキュメントの正面図である。
【図２】図１の偽造防止セキュリティ機能のための透視パターンを備えるドキュメントの平面図である。
【図３】本発明のドキュメントの表面上のパターンの透視の平面図である。
【図４】本発明の偽造防止セキュリティ機能のための位置整合された平行直線パターンの正面図である。
【図５】本発明の偽造防止セキュリティ機能のためのモアレパターンを形成する位置整合不良の平行直線パターンの正面図である。
【図６】本発明の偽造防止セキュリティ機能のための位置整合されたアスタリスク線パターンの正面図である。
【図７】本発明の偽造防止セキュリティ機能のためのモアレパターンを形成する位置整合不良のアスタリスク線パターンの正面図である。
【図８】本発明の偽造防止セキュリティ機能のための同心円線状のフレネルパターンの正面図である。
【符号の説明】
【００１６】
１０  第１パターン
１２  第２パターン
１４  ドキュメント
１６  線
１８  表面
２０  線
２２  裏面
２４  垂線
２６  セキュリティ機能部分
２８  光線
３８  パターン
４０  線
４２  表面
４４  ドキュメント
４８  フレネルパターン
５０  同心円状の線
【図１】
2004148819.tif 000003
【図２】
2004148819.tif 000004
【図３】
2004148819.tif 000005
【図４】
2004148819.tif 000006
【図５】
2004148819.tif 000007
【図６】
2004148819.tif 000008
【図７】
2004148819.tif 000009
【図８】
2004148819.tif 000010